(57)【特許請求の範囲】
【請求項１】
複数の発光コンポーネントが取り付けられた弾性部品層（２０）と、
前記弾性部品層（２０）の両側を引っ張って前記弾性部品層（２０）を外弧状に湾曲させるように、かつ、前記弾性部品層（２０）の両側を突っ張って前記弾性部品層（２０）を内弧状に湾曲させるように、前記弾性部品層（２０）の背部に作用する調節部（３０）と、を含み、
前記調節部（３０）は、二組として設けられ、それぞれ前記弾性部品層（２０）の上部と下部に位置していることを特徴とする可撓ＬＥＤモジュール。
【請求項２】
前記弾性部品層（２０）は、炭素繊維板であることを特徴とする、請求項１に記載の可撓ＬＥＤモジュール。
【請求項３】
複数の前記外弧状に湾曲した可撓ＬＥＤモジュールで囲ってなることを特徴とする、請求項１または２に記載の可撓ＬＥＤモジュールを使用した環状ＬＥＤモジュール。
【請求項４】
１又は複数の前記内弧状に湾曲した可撓ＬＥＤモジュール及び１又は複数の前記外弧状に湾曲した可撓ＬＥＤモジュールで構成されたことを特徴とする、請求項１または２に記載の可撓ＬＥＤモジュールを使用した波状ＬＥＤモジュール。
【発明の詳細な説明】
【技術分野】
【０００１】
本発明は可撓ＬＥＤモジュール、環状ＬＥＤモジュール及び波状ＬＥＤモジュールに関し、表示装置の技術分野に関する。
【背景技術】
【０００２】
室外表示装置として、ＬＥＤモジュールは、一般的に平板の形で壁又はブラケットに取り付けられ、広告や他の画像を放映するためのものであり、異なる取付け環境に適応し、及びより高い視覚効果を得るために、ＬＥＤモジュールは曲面の形に設けられることがある。例えば、特許文献１には、Ｓ字状のＬＥＤモジュールが開示されており、湾曲箇所に可撓性接続板を設けて両側のＬＥＤモジュールを接続することによって、曲がり角を有する壁に取り付けられることが可能であることが記載されているが、このようなＳ字状のＬＥＤモジュールは、１．Ｓ字状の曲がり角においてＵ字状又はＶ字状の接続板で両側のＬＥＤモジュールを接続するが、ＬＥＤモジュール自体は湾曲しないため、弧状の壁に沿って設けることに適さない。また、接続板の位置は画像表示に用いられることができないため、画像は不連続なものになってしまうこと、及び、２．取り付ける場合、両側のＬＥＤモジュールをそれぞれ接続板に鋲締又は溶接する必要があるから、取付けにくいという欠陥がある。
【０００３】
上記のＳ字状のＬＥＤモジュールにおける弧状の壁に沿って設けることに適さず、画像は不連続なものになり、取り付けにくいという技術問題を解決するために、特許文献２には、可撓性ユニットスクリーンを含む可撓ＬＥＤディスプレイスクリーン用の弧度決め棒が開示されており、可撓性ユニットスクリーンは複数本の横方向に配列されたＬＥＤストリップライトを備え、弧度決め棒は上下にストリップライトの裏面に布置され、弧度決め棒における二つの取付け台はそれぞれ両側のＬＥＤストリップライトと固定されている。弧度決め棒は伸縮棒及び二つの取付け台を備え、伸縮棒の両端はそれぞれ二つの取付け台とヒンジ接続され、伸縮棒はスライドバー、スリーブ及びロック機構を備え、スライドバーはスリーブの内孔に挿入されてスリーブの内孔に滑り嵌めされており、さらにロック機構で軸方向に固定されている。しかし、当該可撓ＬＥＤディスプレイスクリーン用の弧度決め棒は、１．ＬＥＤディスプレイスクリーンは複数の横方向に配列されたＬＥＤストリップライトで構成され、ストリップライトの間には一定の隙間が存在し、隙間は内弧状に湾曲する時に大きくなるため、表示効果が悪くなってしまうこと、２．伸縮棒はスリーブ構造であり、ロック機構は回転ヘッドとハンドルとを備え、ロック機構におけるハンドルを横溝に引っ掛からせることによって位置制限を実現するものであり、ディスプレイスクリーンが湾曲する角度は連続的なものではなく、横溝の数及び横溝の間の間隔により決定された断続的な湾曲であるため、その適用性が高くないこと、及び、３．ロック機構、伸縮棒及び縦柱は構造が複雑で、重量が大きく、生産コストが高いという欠陥もある。
【先行技術文献】
【特許文献】
【０００４】
【特許文献１】中国実用新案公告第２０２５４９１８９号明細書
【特許文献２】中国特許出願公開第１０４００８７０７号明細書
【発明の概要】
【発明が解決しようとする課題】
【０００５】
本発明は、従来の可撓ＬＥＤモジュールは表示効果に劣るという技術問題を解決し、表示効果の良い可撓ＬＥＤモジュールを提供することを第一目的とする。
【０００６】
本発明は、従来の可撓ＬＥＤモジュールは湾曲弧度が不連続で、適用性に劣るという技術問題を解決し、湾曲弧度を一定の範囲で連続的に調節でき、適用性が高い可撓ＬＥＤモジュールを提供することを第二目的とする。
【０００７】
本発明は、従来の可撓ＬＥＤモジュールは構造が複雑で、重量が大きく、且つ生産コストが高いという技術問題を解決し、構造が簡単で、重量が軽く、且つ生産コストが低い可撓ＬＥＤモジュールを提供することを第三目的とする。
【課題を解決するための手段】
【０００８】
上記の目的を実現するために、本発明に係る可撓ＬＥＤモジュールは、
複数の発光コンポーネントが取り付けられた弾性部品層と、
炭素繊維層の両側を引っ張り又は突っ張って、前記弾性部品層を内弧又は外弧状に湾曲させるように前記弾性部品層の背部に作用する調節部と、を備えることを特徴とする。
【０００９】
上記可撓ＬＥＤモジュールにおいて、前記調節部は、二組として設けられ、それぞれ前記弾性部品層の上部と下部に位置している。
【００１０】
上記可撓ＬＥＤモジュールにおいて、前記調節部は、前記弾性部品層の背部の両側に設けられた固定部品と、両側の前記固定部品を接続する調節部品と、を備え、前記調節部品は、両側の前記固定部品を引っ張り又は突っ張ることによって、前記ＬＥＤパネル層及び前記弾性部品層を内弧又は外弧状に湾曲させる。
【００１１】
上記可撓ＬＥＤモジュールにおいて、前記固定部品は、固定ブロックからなり、前記調節部品は、前記固定ブロックにヒンジ接続され対側の前記固定ブロックに向かって延びるスクリュー、及び、両側の前記スクリューとねじ接続された接続棒からなり、前記接続棒の両端には前記スクリューのねじに嵌合するねじ穴が設けられ、且つ両側の前記スクリューの螺旋方向が異なっている。
【００１２】
上記可撓ＬＥＤモジュールにおいて、前記固定ブロックに収容凹溝が成形され、前記スクリューの一端には、前記収容凹溝に突き入れられることに適する突入端が成形され、前記突入端に貫通孔が設けられており、ピンは、前記固定ブロックと前記スクリューを固定するように前記固定ブロックの頂部及び前記貫通孔を貫通した。
【００１３】
上記可撓ＬＥＤモジュールにおいて、前記弾性部品層は、炭素繊維板である。
【００１４】
上記可撓ＬＥＤモジュールにおいて、前記環状ＬＥＤモジュールは、複数の前記外弧状に湾曲した可撓ＬＥＤモジュールで囲ってなる。
【００１５】
上記可撓ＬＥＤモジュールにおいて、隣接する前記可撓ＬＥＤモジュールにおける隣接する前記固定ブロックは、ねじで接続されている。
【００１６】
上記可撓ＬＥＤモジュールにおいて、前記波状ＬＥＤモジュールは、１又は複数の前記内弧状に湾曲した可撓ＬＥＤモジュール及び１又は複数の前記外弧状に湾曲した可撓ＬＥＤモジュールで構成される。
【００１７】
上記可撓ＬＥＤモジュールにおいて、隣接する前記可撓ＬＥＤモジュールにおける隣接する前記固定ブロックは、ねじで接続されている。
【発明の効果】
【００１８】
本発明の上記の技術的解決手段は、従来技術に比べて、下記の利点がある。
【００１９】
１．本発明にかかる可撓ＬＥＤモジュールにおいて、発光コンポーネントは湾曲して反発しうる炭素繊維層に取り付けられ、調節部により前記炭素繊維層自体を一定の範囲で湾曲させて変形させることによって、湾曲して変形した後に、発光コンポーネントの間には大きな隙間又は間隙が発生することがないから、表示効果がより良くなる。
【００２０】
２．本発明にかかる可撓ＬＥＤモジュールにおいて、前記調節部は、水平又は垂直に前記炭素繊維層の背部の両側に設けられた固定部品、及び、両側の前記固定部品を接続する調節部品を備え、前記調節部品は両側の前記固定部品を引っ張り又は突っ張ることによって、前記ＬＥＤパネル層及び前記炭素繊維層を内弧又は外弧状に湾曲させ、調節部は前記固定部品を引っ張り又は突っ張ることにより、前記炭素繊維層を内弧又は外弧状の二つの方向に湾曲させることが可能になるから、本発明にかかる可撓ＬＥＤモジュールの適用範囲がより広くなった。
【００２１】
３．本発明にかかる可撓ＬＥＤモジュールにおいて、二つのスクリューはそれぞれ両側の固定ブロックとヒンジ接続され、接続棒におけるねじ穴は前記スクリューとねじ接続され、且つ両側のスクリューのねじの螺旋方向が異なっていることにより、前記接続棒を正方向又は逆方向に回転させる場合、前記固定ブロックを引っ張り又は突っ張ることを実現でき、前記炭素繊維層を内弧又は外弧状に湾曲させ、また、ねじ接続はセルフロッキングを実現できるため、接続棒はいずれの適切な湾曲角度で固定を保持でき、従来技術による調節方式に比べて、上記設置方式は構造がより簡単になり、生産コストと重量が大きく低下し、且つねじで湾曲角度を調節することによって、前記炭素繊維層の湾曲角度は連続的に変化でき、従来技術による段階的に変化する調節方式よりも適用性がより高くなった。
【図面の簡単な説明】
【００２２】
【図１】本発明にかかる可撓ＬＥＤモジュールの正面図である。
【図２】図１の上面図である。
【図３】本発明にかかる可撓ＬＥＤモジュールの内弧湾曲状態での構造模式図である。
【図４】本発明にかかる可撓ＬＥＤモジュールの外弧湾曲状態での構造模式図である。
【図５】接続棒とスクリューが接続された構造模式図である。
【図６】実施例４にかかる平面状ＬＥＤモジュールの構造模式図である。
【図７】実施例２にかかる環状ＬＥＤモジュールの構造模式図であり、さらに隣接する可撓ＬＥＤモジュールの拡大図である。
【図８】実施例３にかかる波状ＬＥＤモジュールの構造模式図である。
【発明を実施するための形態】
【００２３】
本発明の内容をより明瞭に理解しやすいようにするために、以下、図面に合わせて、本発明についてさらに詳細に説明する。
【００２４】
以下、図面に合わせて、本発明にかかる可撓ＬＥＤモジュールについて詳細に説明する。
【００２５】
実施例１
図１−４に示すように、可撓ＬＥＤモジュールは、複数の発光コンポーネントが取り付けられた、取付け基礎としての弾性部品層２０と、弾性部品層２０の両側を突っ張り又は引っ張って、弾性部品層２０を内弧又は外弧状に湾曲させるように弾性部品層２０の背部に作用する調節部３０とを含む。弾性部品層２０は湾曲して変形してから反発しうる材料であることにより、炭素繊維層は湾曲して変形した後に、発光コンポーネントの間には大きな隙間又は間隙が発生することがないから、表示効果がより良くなった。
【００２６】
本実施例にかかる可撓ＬＥＤモジュールは三つの使用状態を有し、そのうち、調節部３０により弾性部品層２０を調節していないと、弾性部品層２０は平板状を呈し、この時、輸送又は保管に適するものとなり、調節部３０により弾性部品層２０を内弧又は外弧状に湾曲させると、本実施例にかかる可撓ＬＥＤモジュールは湾曲型表示装置として用いることができる。
【００２７】
一つの実施の形態として、炭素繊維は強度が高く、重量が軽くて、最も重要なのは、非常に優れた靭性と反発性を有するので、一定の範囲でどのように湾曲しても、元の状態になるまで反発できるため、本実施例では、弾性部品層２０として炭素繊維材料を採用する。湾曲して反発するための裏板は炭素繊維材料の一つに限らず、その他の靭性と反発性に優れた材料で構成されたもの、例えばプラスチック板、マンガン板、及びガラス繊維板等であってもよいことは明らかである。当業者は、上記の説明に基づいて、本分野での周知の常識と睨み合わせて裏板の材質を柔軟に選択できるはずである。
【００２８】
本実施例では、図１を参照して、調節部３０は二組として設けられ、それぞれ弾性部品層２０の上部と下部に位置していることにより、ＬＥＤモジュールは全体が均一に湾曲できるのを保証し、また、調節部３０は３、４、５組ひいてはそれ以上として設けられてもよいことは明らかであるため、ここでは、贅言を要しない。
【００２９】
以下、図２−５に合わせて、本実施例における調節部３０の設置方式を詳細に説明する。
【００３０】
本実施例では、図２−４を参照して、調節部３０は、水平又は垂直に弾性部品層２０の背部の両側に設けられた固定部品、及び、両側の固定部品を接続する調節部品を備え、調節部品は、両側の固定部品を引っ張り又は突っ張ることによって、ＬＥＤパネル層及び弾性部品層２０を内弧又は外弧状に湾曲させ、調節部３０は、固定部品を引っ張り又は突っ張ることにより、弾性部品層２０を内弧又は外弧状の二つの方向に湾曲させることが可能になるから、本発明にかかる可撓ＬＥＤモジュールの適用範囲がより広くなった。
【００３１】
さらに、固定部品は固定ブロック３１からなり、固定ブロック３１と弾性部品層２０は、ねじ接続により固定されるが、上記の接続方式に限られず、固定ブロック３１は、弾性部品層２０と一体に成形され、又は嵌込み等の固定方式により相対固定を保持してもよい。調節部品は、固定ブロック３１にヒンジ接続され対側の固定ブロック３１に向かって延びるスクリュー３２、及び、両側のスクリュー３２とねじ接続された接続棒３３からなる。接続棒３３の両端には、スクリュー３２のねじに嵌合するねじ穴が設けられ、且つ両側のスクリュー３２の螺旋方向が異なっていることにより、スクリューを正方向又は逆方向に回転させる場合、両側のスクリュー３２は、ねじ穴にねじ込まれ又はそれからねじ出されることができ、固定ブロック３１を引っ張り又は突っ張るという作用を発揮する。また、ねじ接続は、セルフロッキングを実現できるため、接続棒３２は、適切な湾曲角度で固定を保持でき、従来技術によるハンドルを異なる垂直溝に固定する調節方式に比べて、上記設置方式は構造がより簡単になり、生産コストと重量が大きく低下する。また、ねじで湾曲角度を調節することによって、弾性部品層２０の湾曲角度は連続的に変化でき、従来技術による段階的に変化する調節方式よりも適用性がより高くなった。
【００３２】
より具体的には、図２−４に示すように、固定ブロック３１に収容凹溝が成形され（図示せず）る。スクリュー３２の一端には収容凹溝に突き入れられることに適する突入端が成形される。突入端には、貫通孔が設けられている。ピンは、固定ブロック３１とスクリュー３２を固定するように固定ブロック３１の頂部及び貫通孔を貫通している。これにより、スクリュー３２は、ピンに対して回転可能になり、また、接続棒３３を回転させる時に固定ブロックを引っ張り又は突っ張りうることについては、上記の解決手段に限らず、複数種の設置方式があり、図示していないが、当業者は以下の説明により把握することができる。具体的には、スクリュー３２は、ねじ穴に縮み込み又はそれから伸び出し、接続棒３３自体の変形による反発力で、両側の固定ブロック３１を引っ張り又は突っ張り、又は弾性部品層２０に直接作用することによって、弾性部品層２０を内弧又は外弧状に湾曲させる。
【００３３】
本実施例では、固定ブロック３１は、弾性部品層２０の背部の両側の位置に布置されるが、弾性部品層２０を亘るように両側の垂直方向に延び、湾曲調節を行う場合、弾性部品層２０の両側から、弾性部品層２０を全体的に動かして湾曲させるものであってもよい。また、ブロック状として弾性部品層２０の背部に接続されるものであってもよく、このような設置方式によれば、可撓ＬＥＤモジュールは質量が軽くなり、搬送し、取り付けやすくなる。
【００３４】
実施例２
本実施例は、実施例１にかかる可撓ＬＥＤモジュールを使用した環状ＬＥＤモジュールを提供する。図７に示すように、環状ＬＥＤモジュールは、複数の外弧状に湾曲した可撓ＬＥＤモジュールで囲ってなり、隣接する可撓ＬＥＤモジュールにおける隣接する固定ブロック３１は、ねじ接続されるが、隣接する二つの固定ブロック３１の間の接続方式はねじ接続に限られず、例えば接着、鋲締、象嵌等を使用してもよいことは明らかである。
【００３５】
実施例３
本実施例は、実施例１にかかる可撓ＬＥＤモジュールを使用した波状ＬＥＤモジュールを提供する。図８に示すように、波状ＬＥＤモジュールは、１又は複数の内弧状に湾曲した可撓ＬＥＤモジュール及び１又は複数の外弧状に湾曲した可撓ＬＥＤモジュールで構成される。隣接する可撓ＬＥＤモジュールにおける隣接する固定ブロック３１は、ねじ接続されるが、隣接する二つの固定ブロック３１の間の接続方式は、ねじ接続に限られず、例えば接着、鋲締、象嵌等を使用してもよいことは明らかである。
【００３６】
実施例４
本実施例は、実施例１にかかる可撓ＬＥＤモジュールを使用した平面状ＬＥＤモジュールを提供する。図６に示すように、平面状ＬＥＤモジュールは、１又は複数の湾曲していない可撓ＬＥＤモジュールで構成される。隣接する可撓ＬＥＤモジュールにおける隣接する固定ブロック３１は、ねじ接続されるが、隣接する二つの固定ブロック３１の間の接続方式は、ねじ接続に限られず、例えば接着、鋲締、象嵌等を使用してもよいことは明らかである。
【００３７】
上記の実施例は、実施の形態を限定するものではなく、説明を明瞭にするために挙げられた例であることは明らかである。当業者にとっては、上記説明に基づけば、その他の形式の異なる変形又は変更を行うこともできる。ここで、すべての実施の形態を網羅的に挙げる必要がないが、これは不可能なことでもある。上記の実施例から派生した明らかな変形又は変更は、やはり本発明による保護範囲にある。
（付記）
（付記１）
複数の発光コンポーネントが取り付けられた弾性部品層（２０）と、
前記弾性部品層（２０）の両側を引っ張り又は突っ張って、前記弾性部品層（２０）を内弧又は外弧状に湾曲させるように前記弾性部品層（２０）の背部に作用する調節部（３０）と、
を含むことを特徴とする可撓ＬＥＤモジュール。
（付記２）
前記調節部（３０）は、二組として設けられ、それぞれ前記弾性部品層（２０）の上部と下部に位置していることを特徴とする、付記１に記載の可撓ＬＥＤモジュール。
（付記３）
前記調節部（３０）は、前記弾性部品層（２０）の背部の両側に設けられた固定部品と、両側の前記固定部品を接続する調節部品と、を備え、前記調節部品は、両側の前記固定部品を引っ張り又は突っ張ることによって、前記ＬＥＤパネル層と前記弾性部品層（２０）を内弧又は外弧状に湾曲させることを特徴とする、付記１又は２に記載の可撓ＬＥＤモジュール。
（付記４）
前記固定部品は、固定ブロック（３１）からなり、前記調節部品は、前記固定ブロック（３１）にヒンジ接続され対側の前記固定ブロック（３１）に向かって延びるスクリュー（３２）、及び、両側の前記スクリュー（３２）とねじ接続された接続棒（３３）からなり、前記接続棒（３３）の両端には、前記スクリュー（３２）のねじに嵌合するねじ穴が設けられ、且つ両側の前記スクリュー（３２）の螺旋方向が異なっていることを特徴とする、付記３に記載の可撓ＬＥＤモジュール。
（付記５）
前記固定ブロック（３１）に収容凹溝が成形され、前記スクリュー（３２）の一端には、前記収容凹溝に突き入れられることに適する突入端が成形され、前記突入端に貫通孔が設けられており、ピンは、前記固定ブロック（３１）と前記スクリュー（３２）を固定するように前記固定ブロック（３１）の頂部及び前記貫通孔を貫通したことを特徴とする、付記４に記載の可撓ＬＥＤモジュール。
（付記６）
前記弾性部品層（２０）は、炭素繊維板であることを特徴とする、付記１−５のいずれか１つに記載のＬＥＤモジュール。
（付記７）
複数の前記外弧状に湾曲した可撓ＬＥＤモジュールで囲ってなることを特徴とする、付記１−６のいずれか１つに記載の可撓ＬＥＤモジュールを使用した環状ＬＥＤモジュール。
（付記８）
隣接する前記可撓ＬＥＤモジュールにおける隣接する前記固定ブロック（３１）は、ねじで接続されていることを特徴とする、付記７に記載の環状ＬＥＤモジュール。
（付記９）
１又は複数の前記内弧状に湾曲した可撓ＬＥＤモジュール及び１又は複数の前記外弧状に湾曲した可撓ＬＥＤモジュールで構成されたことを特徴とする、付記１−６のいずれか１つに記載の可撓ＬＥＤモジュールを使用した波状ＬＥＤモジュール。
（付記１０）
隣接する前記可撓ＬＥＤモジュールにおける隣接する前記固定ブロック（３１）は、ねじで接続されていることを特徴とする、付記９に記載の波状ＬＥＤモジュール。
【符号の説明】
【００３８】
２０  炭素繊維層
３０  調節部
３１  固定ブロック
３２  スクリュー
３３  接続棒
【図１】
0006291078.tif 000002
【図２】
0006291078.tif 000003
【図３】
0006291078.tif 000004
【図４】
0006291078.tif 000005
【図５】
0006291078.tif 000006
【図６】
0006291078.tif 000007
【図７】
0006291078.tif 000008
【図８】
0006291078.tif 000009